(57)【要約】      （修正有）【課題】錠本体の表面に施錠リングの周面を露呈させていないワイヤー錠等の錠前において、夜間等でも開錠のための錠杆体の回転操作をし易くする。【解決手段】一端に施錠口１を開口し、コイルばね２、クリックモーション機構３と複数個の施錠リング４、５、６、および蹴り出しばね１３と番違いリング７とからなる探り止め機構を内蔵した錠本体Ａと、複数個の鍵突起１１を側面に具えた錠杆部１２を錠本体内に挿入して、上記各リングにロックされる錠杆体Ｂとを備え、上記錠杆体を正逆に複数回、それぞれ所定の角度ずつ回転して開錠できるようにしたワイヤー錠等の錠前において、施錠口と錠杆体との接合部の外周に、開錠の始点を指示する始点指示部と、錠杆体のクリック角度位置に対応する角度表示部とに、蓄光顔料を含んだ発光部１４、２０を備えて、夜間とか無照明の場合に、指示部と表示部をそれぞれ視認できるようにしたワイヤー錠等の錠前である。【選択図】図１
0003115194.tif 000002
【実用新案登録請求の範囲】
【請求項１】
一端に施錠口を開口し、コイルばね、クリックモーション機構と複数個の施錠リング、ならびに蹴り出しばねと番違いリングとからなる探り止め機構を内蔵した錠本体と、複数個の鍵突起を側面に具えた錠杆部を備え、上記錠杆部を上記錠本体内に挿入して、上記各リングにロックさせた錠杆体を正逆に複数回、それぞれ所定の角度ずつ回転して開錠できるようにしたワイヤー錠等の錠前において、前記施錠口と錠杆との接合部の外周に、開錠の始点を指示する始点指示部と、上記錠杆体のクリック角度位置に対応する角度表示部とに、それぞれ蓄光顔料を含んだ発光部を設けることにより、夜間とか無照明の場合に、上記指示部と表示部をそれぞれ視認できるようにしたことを特徴とするワイヤー錠等の錠前。
【請求項２】
前記錠本体は、側面の外周に、前記錠杆体を回転操作する場合の錠本体側の把持部となるようにした膨出部または凹陥部を複数個所に配置したことを特徴とする請求項１記載のワイヤー錠等の錠前。
【考案の詳細な説明】
【技術分野】
【０００１】
本考案は、錠本体内で施錠リングによりロックされている錠杆体を正逆に複数回回転して開錠できるようにしたワイヤー錠等の錠前に関し、錠本体と錠杆体との開錠始点位置と、開錠角度位置とに、蓄光顔料で形成した発光部を設けて、照明のない場所での開錠操作を容易にできるようにしたことを特長とする。
【背景技術】
【０００２】
一端に施錠口を開口した筒型の錠本体の内面に、それぞれ係合突起を内周に具えた複数個の施錠リングを回転自在にしてクリックモーション機構とともに嵌装する一方、錠杆体の一側に各施錠リングと係合する鍵突起を設けたこの種のワイヤー錠等の錠前には、例えば本出願人の先願に特許文献１がある。
また、押釦式の自転車用錠において、押釦の頂部に蓄光式の発光部を備えた錠前には、同じく本出願人の先願に特許文献２がある。
【０００３】
【特許文献１】実開昭６３−２２５７６９号公報（第１頁、第１図参照）
【特許文献２】特開平１０−１０２８７２号公報（第２頁、第３、４図参照）
【考案の開示】
【考案が解決しようとする課題】
【０００４】
通常の文字合わせ錠と異なり、錠本体の表面に施錠リングの周面を露呈させていない特許文献１の錠前は、探り止めし難いという利点があるが、施錠状態に錠本体に挿入されている錠杆体を強く引っ張りながら回転すると、各施錠リングの内周面に具えられている係合突起の配置位置を探り出すことができるので、不法に開錠されるおそれがあるという欠点があった。
【０００５】
一方、押釦の頂部に蓄光式の発光部を備えた特許文献２の自転車用錠は、夜間等でも押釦の配置が分かり開錠操作がし易いという利点があるが、表面に開錠操作位置を表示していない本考案の錠前には採用できないという問題がある。
以上のことから、本考案が解決しようとする第１の課題は、錠本体の表面に施錠リングの周面を露呈させていないワイヤー錠等の錠前において、夜間等でも開錠のための錠杆体の回転操作をし易くすることにある。
【課題を解決するための手段】
【０００６】
そこで本考案は、上記の課題を解決するために、一端に施錠口を開口し、コイルばね、クリックモーション機構と複数個の施錠リング、ならびに蹴り出しばねと番違いリングとからなる探り止め機構を内蔵した錠本体と、複数個の鍵突起を側面に具えた錠杆部を錠本体内に挿入して、上記各リングにロックされる錠杆体とを備え、上記錠杆体を正逆に、所定の角度、複数回回転して開錠できるようにしたワイヤー錠等の錠前において、前記施錠口と錠杆との接合部の外周に、開錠操作の始点を指示する始点指示部と、上記錠杆体のクリック角度位置に対応する角度表示部とに、蓄光顔料を含んだ発光部を備えて、夜間とか無照明の場合に、上記指示部と表示部をそれぞれ視認できるようにしたことを特徴とするワイヤー錠等の錠前を提供するものである。
【考案の効果】
【０００７】
本考案に係る錠前は、蹴り出しばねと番違いリングとからなる施錠リングの探り止め機構を備えるとともに、それぞれ蓄光顔料を含んだ発光部で形成した開錠操作の始点指示部と、クリック機構に対応する角度表示部を施錠口と錠杆体との接合部の外周に備えているので、不法に開錠位置を探られ難い、夜間等で暗い場所でも、発光する始点指示部と角度表示部とに基づいて、当該の錠前に設定されている番手に従った開錠操作が容易に、かつ、正確にできる。
【考案を実施するための最良の形態】
【０００８】
一端に施錠口を開口し、コイルばね、クリックモーション機構と複数個の施錠リング、ならびに蹴り出しばねと番違いリングとからなる探り止め機構を内蔵した錠本体内に、
複数個の鍵突起を側面に具えた錠杆部を挿入して、錠杆体を上記各リングにロックさせる。ロック状態にある錠杆体を正逆に複数回、それぞれ所定の角度ずつ回転して開錠できるようにしたワイヤー錠等の錠前において、
前記施錠口と錠杆との接合部の外周に、開錠の始点を指示する始点指示部と、上記錠杆体の回転角度位置に対応する角度表示部とに、蓄光顔料を含んだ発光部を設け、
夜間とか無照明の場合に、上記発光部を基にして錠本体と錠杆体との始点指示部と角度表示部とをそれぞれ視認できるようにしたワイヤー錠等の錠前である。
【実施例】
【０００９】
図面は、本考案の実施例を説明するものである。
図１は、実施例の分解斜視図、図２は、実施例の施錠状態を示す一部切欠正面図、図３は、錠杆体の平面図、番違いリングの背面、縦断面、正面を示す図面、図５は、施錠第１リングの背面、縦断面、正面を示す図面、図６は、施錠第２リングの背面、縦断面、正面を示す図面、図７は、施錠第３リングの背面、縦断面、正面を示す図面、図８は、錠本体の施錠口部分の端面図、図９は、錠本体のカバーの端面と側面を示す図面、図１０は、施錠口の外周に嵌着される蓄光部材の平面、正面、縦断面を示す図面、図１１は、錠杆体に埋設される蓄光部材の拡大縦断面図である。
【００１０】
図において、Ａは、一端（図１右端）に施錠口１を開口した有底筒型の錠本体、２は、錠本体Ａ内の最奥部に嵌合するコイルばね、３は、背面を平滑面に形成し正面側に突起３’を配置して回転不能に嵌合するクリックリング、４は、背面にクリックリング３の突起３’と係合する１０個の凹溝４’を放射状に形成した第３施錠リング（クリック音発生リング）、５は、第２施錠リング、６は、第１施錠リング、７は、背面に５条の凹部７’を具え、施錠口１に最も近接した位置に嵌着され、錠本体Ａ内に回転不能に固定されて鍵穴を形成する番違いリング、８は、外周に回り止め突起８’を具えて、第３施錠リング４と第２施錠リング５との間と、第２施錠リング５と第３施錠リング４との間に介設するスペーサリングである。
【００１１】
各施錠リング４、５、６は、図４、５、６に示すように、中心線上に鍵の挿通孔９を貫通し、内周面の円周方向に互いに角度位置を異にした１〜２の係合突起１０を有する。
Ｂは、側面に複数個の鍵突起１１を具えて施錠口１内に挿入され、錠本体Ａ内で各施錠リング４、５、６と係合してロックされる錠杆部１２を一体に形成した錠杆体、１３は、錠本体Ａの内端に装着された蹴り出しばねで、この蹴り出しばね１３は、施錠口１内に挿入される錠杆部１２を常時施錠口側に向けて圧迫し、施錠口１に近い鍵突起１１ａを番違いリング７の背面の凹部７’に嵌合させて、錠杆体Ｂの回転を阻止する一方で、各施錠リング４、５、６がそれぞれ開錠位置に達したときには錠杆部１２を錠本体Ａ外にけりだす。
【００１２】
１４は、図１０に示すように、円周方向を１０等分した外周に突起を形成し、外周の一部を欠如することにより開閉自在に成形した蓄光顔料を含む樹脂製の蓄光部材である。
蓄光部材１４は、図１に示すように錠本体Ａの施錠口１の外周に形成した環状の段部１５に対し、他の発光部１４ｂよりも特に大型に成形した三角形の発光部１４ａ（図１０参照）を錠前の頂点に対応させて、該段部１５に嵌着される。
【００１３】
１６は、側面の４個所にほぼ楕円型の凸部１６’を膨出させて錠本体Ａの胴部に嵌着する弾性カバー、１７は、錠本体Ａの後部から嵌合して弾性カバー１６および施錠口１の外周面を蓄光部材１４とともに覆う大型の弾性カバーで、この大型のカバー１７は、前端部周面に均等に配置した１０個の孔１８に三角形の発光部１４ａと、開錠操作時に錠杆体Ｂの回転角度位置を表示するその他の発光部１４ｂを嵌め、側面の開口部１９を弾性カバー１６の凸部１６’に嵌める。
また、錠杆体Ｂは、施錠口１との接合部となる中間部２０の頂点に設けた孔２０’内に、前記発光部１４ａとほぼ同形に成形した樹脂製の発光部２１を錠本体Ａ側の発光部１４ａと対向させて埋設し、施錠時において両発光部１４ａ、２１の整合位置を錠杆体Ｂの開錠操作の始点指示部としている。
【００１４】
錠本体Ａと大型の弾性カバー１７は、後端部（図１の図示右端）に共通して設けた軸受け部２２に、ワイヤーの基部となる連結部材２３を嵌合して、軸ピン２４を挿通し、図２に示すように連結部材２３に連なるワイヤーＣの一端を揺動自在に連結する。
一方、錠杆体Ｂは、中間部２０の外端に中空で大径の摘み部２５を具え、該摘み部２５内にワイヤーＣの自由端部となる周溝付のぎぼし２６を挿入し、側面から２本の抜け止めピン２７を打ち込み、ワイヤーＣの自由端部を回転自在に連結する。
なお、カバー１７の側面に臨出する弾性カバー１６の凸部１６’には端面と同形の銘版２８を貼り付け、カバーの回り止めを兼用させるとともに、施錠、開錠操作時の錠本体Ａ側の手がかり（把持部）とする。
【００１５】
次ぎに、以上の構成を備えたこの錠前の施錠操作と開錠操作を以下に説明する。
まず、番違いリング６の鍵穴に挿入された錠杆部１２は、前回の開錠操作時に各施錠リング４、５、６が鍵の挿通孔９をほぼ一直線状に揃えた状態の中に鍵突起１１を通過させた後、錠杆体Ｂを１回転以上回転し、各施錠リング４、５、６の係合突起１０の角度位置を変えることにより該錠杆部１２を錠本体内にロックしてこの錠前は施錠状態に変わる。
なお、上記の施錠状態において、錠杆体Ｂの錠杆部１２は、前述のように、錠本体Ａ内に備えた蹴り出しばね１３により施錠口側に向けて付勢されて、手前側の鍵突起１１ａを番違いリング７の背面の凹部７’に嵌合させて回転不能に掛止されているので、錠杆体Ｂを引っ張りつつ回転して各施錠リング４、５、６の開錠位置を探り出そうとする探りを不能にしている。
【００１６】
次ぎに、開錠操作は、上記のように施錠状態にある錠杆体Ｂを押し込みつつ回し、発光部２１を錠本体Ａ側の発光部１４ａと対向させて、開錠操作の始点指示位置に合わせる。
次いで、当該の錠前に設定されている番手に従って、錠杆体Ｂを正逆に所定の角度ずつ回転すると、錠本体Ａ内で各施錠リング４、５、６の係合突起１０がそれぞれ開錠位置に復帰すると同時に、制止から開放された蹴り出しばね１３の付勢によって錠杆部１２は施錠口１の外に自動的にけり出される。
各施錠リング４、５、６の回転角度は、コイルばね２に圧迫されつつ回転する第３施錠リング（クリック音発生リング）４がクリックリング３の突起３’と接離する場合に発生するクリック音（振動）と手応えを感知することにより所定の角度位置が分かる。
【００１７】
以上の開錠操作が昼間行なわれる場合には、特に発光部１４ａ、１４ｂと２１の発光作用を要しないこと従来どおりであるが、本考案に係る錠前によれば、夜間とか照明の無い場所では、手探りに頼ることなく、周囲の暗さの中に明るく発光している発光部を目視しながらの開錠操作ができる。
したがって、暗さの中でもこの錠前の開錠操作は容易に、かつ、正確にできる。
【産業上の利用可能性】
【００１８】
本考案は、主として自転車用等のワイヤ−錠として使用されるが、ワイヤ−に換えてチエンを連結したり、自転車用以外の錠前に採用することができる。また、角度表示部を形成する発光部１４ｂは錠杆体側に設ける場合もある。
そのほか、各部の形状と構造は、図示した実施例の態様のみに限らず、本考案の要旨に沿って適宜に設計変更できる。
【図面の簡単な説明】
【００１９】
【図１】図１は実施例の分解斜視図である。
【図２】図２は実施例の施錠状態を示す一部切欠正面図である。
【図３】図３は錠杆体の平面図である。
【図４】図４は番違いリングの背面ａ、縦断面ｂ、正面ｃを示す図面である。
【図５】図５は施錠第１リングの背面ａ、縦断面ｂ、正面ｃを示す図面である。
【図６】図６は施錠第２リングの背面ａ、縦断面ｂ、正面ｃを示す図面である。
【図７】図７は施錠第３リングの背面ａ、縦断面ｂ、正面ｃを示す図面である。
【図８】図８は錠本体の施錠口部分の端面図である。
【図９】図９は錠本体のカバーの端面ａと側面ｂを示す図面である。
【図１０】図１０は施錠口の外周に嵌着される蓄光部材の平面ａ、正面ｂ、縦断面ｃを示す図面である。
【図１１】図１１は錠杆体に埋設される蓄光部材の拡大縦断面図である。
【符号の説明】
【００２０】
Ａ  錠本体
１  施錠口
２  コイルばね
３  クリックリング  （３’  突起）
４  第３施錠リング  （４’  凹溝）
５  第２施錠リング
６  第１施錠リング
７  番違いリング（７’  凹部）
８  スペーサリング  （８’  回り止め突起）
９  鍵の挿通孔
１０  係合突起
Ｂ  錠杆体
１１、１１ａ  鍵突起
１２  錠杆部
１３  蹴り出しばね
１４  蓄光部材  （１４ａ、１４ｂ  発光部）
１５  段部
Ｃ  ワイヤー
１６  弾性カバー  （１６’  突部）  
１７  大型のカバー
１８  孔
１９  開口部
２０  中間部  （２０’  開口部）
２１  発光部
２２  軸受け部
２３  連結部
２４  軸ピン
２５  摘み部
２６  ぎぼし
２７  抜け止めピン
２８  銘版
【図１】
0003115194.tif 000003
【図２】
0003115194.tif 000004
【図３】
0003115194.tif 000005
【図４】
0003115194.tif 000006
【図５】
0003115194.tif 000007
【図６】
0003115194.tif 000008
【図７】
0003115194.tif 000009
【図８】
0003115194.tif 000010
【図９】
0003115194.tif 000011
【図１０】
0003115194.tif 000012
【図１１】
0003115194.tif 000013